(57)【要約】【課題】  発信時に通信方式を自動で選択する場合に、予め電話番号に対して設定した特定の通信方式が常に優先して選択されるのではなく、ユーザの意図が反映されていると考えられる発信前に選択している通信方式にも基づいて通信方式を選択して発信する携帯電話機を提供する。【解決手段】  本発明に係る携帯端末は、発信処理を行う時、ユーザによって端末に設定され保持されている通信方式（モード）と同じ発信モードと関連付けられた電話番号の電話帳登録があるか否かを検索し（Ｓ００３）、ある場合はその電話番号を選択して（Ｓ００４）、端末に設定され保持されているモードにて発信を行う（Ｓ００５）。【選択図】  図２
2005176101.tif 000002
【特許請求の範囲】
【請求項１】
複数の通信方式の１つを選択して外部端末と通信を行うマルチバンド携帯端末であって、
前記複数の通信方式の何れかをユーザ指示に応じて選択して保持する通信方式保持手段と、
電話番号と、前記複数の通信方式の何れかの通信方式とを関連付けた情報である通信方式決定情報をグループ化して記憶する記憶手段と、
前記通信方式決定情報のグループを特定するために必要な情報を含んだユーザの発信指示を受け付ける受付手段と、
前記受付手段で発信指示を受け付けた場合、当該発信指示で特定されるグループ内の前記通信方式決定情報の前記通信方式のうち、通信方式保持手段で保持されている前記通信方式と、一致する前記通信方式に関連付けられた電話番号を選択して発信する発信手段と、
を備えることを特徴とする
マルチバンド携帯端末。
【請求項２】
前記受付手段が受け付ける前記通信方式決定情報のグループを特定するために必要な情報は、特定の前記グループを指定する情報であって、
前記発信手段は、前記受付手段で受け付けた前記情報により指定される特定の前記グループ内の前記通信方式決定情報の前記通信方式のうち、通信方式保持手段で選択した前記通信方式と一致する前記通信方式に関連付けられた電話番号を選択して発信する
ことを特徴とする
請求項１記載のマルチバンド携帯端末。
【請求項３】
前記受付手段が受け付ける前記通信方式決定情報のグループを特定するために必要な情報は、前記通信方式決定情報に登録されている電話番号であって、
前記発信手段は、前記電話番号を含む前記通信方式決定情報のグループを特定し、当該グループ内の前記通信方式決定情報の前記通信方式のうち、通信方式保持手段で選択した前記通信方式と一致する前記通信方式に関連付けられた電話番号を選択して発信する
ことを特徴とする
請求項１記載のマルチバンド携帯端末。
【請求項４】
前記発信手段はさらに、一致する前記通信方式に関連付けられた電話番号がない場合に、ユーザに対してその旨報知する手段を有することを特徴とする、
請求項１、２、３記載のマルチバンド携帯端末。
【請求項５】
前記発信手段はさらに、一致する前記通信方式に関連付けられた電話番号がない場合に、記憶手段によって記憶されている前記通信方式決定情報の何れかの電話番号を選択して、当該電話番号に対応付けられた前記通信方式で当該電話番号に発信することを特徴とする、
請求項１、２、３、４記載のマルチバンド携帯端末。
【請求項６】
ＣＰＵを備える携帯端末に複数の通信方式の１つを選択して外部端末と通信させるためのプログラムであって、
前記複数の通信方式の何れかをユーザ指示に応じて選択して保持する通信方式保持ステップと、
電話番号と、前記複数の通信方式の何れかの通信方式とを関連付けた情報である通信方式決定情報をグループ化して記憶する記憶ステップと、
前記通信方式決定情報のグループを特定するために必要な情報を含んだユーザの発信指示を受け付ける受付ステップと、
前記受付ステップで発信指示を受け付けた場合、当該発信指示で特定されるグループ内の前記通信方式決定情報の前記通信方式のうち、通信方式保持ステップで保持されている前記通信方式と、一致する前記通信方式に関連付けられた電話番号を選択して発信する発信ステップと、
を含むことを特徴とする
プログラム。
【発明の詳細な説明】
【技術分野】
【０００１】
本発明はマルチバンド携帯電話機における、通話方式の切り替えに関する。
【背景技術】
【０００２】
現在、ＰＨＳやＧＳＭやＰＤＣやＵＭＴＳなどといった様々な通信方式による携帯電話の通信サービスが提供されている。それぞれの通信方式は通信費用、通話品質、通信速度などで異なる特性をもつが、１つの携帯電話機で複数の通信方式を利用できるようなマルチバンド携帯電話機が提案され、利用されるようになってきた。
このようなマルチバンド携帯電話機では、ユーザは通信費用や電波状況などに応じて、どの通信方式を用いるかを予め選択しておき、その通信方式で受信待ち受け、及び発信をすることが可能である。
【０００３】
このような従来の機能に加えて、発信を行う毎に、発信電話番号に応じてユーザが登録しておいた通信方式に切り替えて発信可能な機能を付加した携帯電話機が、特許文献１で開示されている。
このような携帯電話機では、発信を行う毎に通信方式を選択するための操作が不要になり、操作性に優れている。
【特許文献１】特開２００１−１１９４５２号公報
【発明の開示】
【発明が解決しようとする課題】
【０００４】
しかしながら、このような携帯電話機においては常に、登録しておいた発信電話番号に応じた通信方式に切り替えて発信するために、ユーザが予め通信費用や電波状況などに応じて受信待ち受け、及び発信のために選択していた通信方式を用いて発信されない場合があり問題である。
そこで本発明は、上記の問題を解決するためになされたものであり、発信時に通信方式を選択する場合に、常に登録しておいた発信電話番号に応じた通信方式のみが優先して選択されるのではなく、ユーザの意図が反映されていると考えられる発信前に選択している通信方式にも基づいて通信方式を選択して発信する携帯電話機を提供することを目的とする。
【課題を解決するための手段】
【０００５】
本発明は上記目的を達成するためになされたものであり、本発明に係る携帯端末は、複数の通信方式の１つを選択して外部端末と通信を行うマルチバンド携帯端末であって、前記複数の通信方式の何れかをユーザ指示に応じて選択して保持する通信方式保持手段と、電話番号と、前記複数の通信方式の何れかの通信方式とを関連付けた情報である通信方式決定情報をグループ化して記憶する記憶手段と、前記通信方式決定情報のグループを特定するために必要な情報を含んだユーザの発信指示を受け付ける受付手段と、前記受付手段で発信指示を受け付けた場合、当該発信指示で特定されるグループ内の前記通信方式決定情報の前記通信方式のうち、通信方式保持手段で保持されている前記通信方式と、一致する前記通信方式に関連付けられた電話番号を選択して発信する発信手段と、を備えることを特徴とする
【発明の効果】
【０００６】
ここで、発信前に携帯端末に設定されて保持されていた通信方式は、その通信方式を続けて使いたいというユーザの意図が反映されていると考えられる。本発明に係る携帯端末は上記のように構成されるため、その発信前に携帯端末に設定されて保持されていた通信方式と予め対応付けられた電話番号が選択され発信できるようになり、ユーザが望まない通信方式が選ばれてしまう場合がなくなり、改めてユーザが通信方式を選択しなおして切り替える煩雑な操作が軽減される。
【０００７】
また、前記受付手段が受け付ける前記通信方式決定情報のグループを特定するために必要な情報は、特定の前記グループを指定する情報であって、前記発信手段は、前記受付手段で受け付けた前記情報により指定される特定の前記グループ内の前記通信方式決定情報の前記通信方式のうち、通信方式保持手段で選択した前記通信方式と一致する前記通信方式に関連付けられた電話番号を選択して発信することを特徴とするとしてもよい。
【０００８】
このようにするだけで、例えば電話番号を同一人物でグループ化して登録した場合、人物を指定して発信する時、その人物に対して登録された電話番号のうち、端末に設定されて保持されている通信方式に一致した通信方式と対応付けられた電話番号にその通信方式を用いて発信することが可能になり、ユーザが望まない通信方式が選ばれてしまう場合がなくなり、改めてユーザが通信方式を選択しなおして切り替える煩雑な操作が軽減される。
【０００９】
また、前記受付手段が受け付ける前記通信方式決定情報のグループを特定するために必要な情報は、前記通信方式決定情報に登録されている電話番号であって、前記発信手段は、前記電話番号を含む前記通信方式決定情報のグループを特定し、当該グループ内の前記通信方式決定情報の前記通信方式のうち、通信方式保持手段で選択した前記通信方式と一致する前記通信方式に関連付けられた電話番号を選択して発信することを特徴とするとしてもよい。
【００１０】
このようにするだけで、例えば電話番号を同一人物でグループ化して登録した場合、電話番号を指定して発信する時、その電話番号が登録された人物に対して登録された複数の電話番号のうち、端末に設定されて保持されている通信方式に一致した通信方式と対応付けられた電話番号にその通信方式を用いて、目的の相手に対して発信することが可能になになり、ユーザが望まない通信方式が選ばれてしまう場合がなくなり、改めてユーザが通信方式を選択しなおして切り替える煩雑な操作が軽減される。
【００１１】
また、前記発信手段はさらに、一致する前記通信方式と対応する電話番号がない場合に、ユーザに対してその旨報知する手段を有することを特徴とする、としてもよい。このようにするだけで、ユーザは現在端末に設定して保持している通信方式を用いて、記憶している通信方式に基づいた発信が出来ないことを知ることができる。
また、前記発信手段はさらに、一致する前記通信方式に関連付けられた電話番号がない場合に、記憶手段によって記憶されている前記通信方式決定情報の何れかの電話番号を選択して、当該電話番号に対応付けられた前記通信方式で当該電話番号に発信することを特徴とする、としてもよい。
【００１２】
これにより、現在端末に設定して保持している通信方式を用いて、記憶している通信方式に基づいた発信が出来ない場合でも、記憶している通信方式に切り替えて発信することが可能になり、手動で通信方式を切り替えて発信する煩雑な操作が不要になる。
【発明を実施するための最良の形態】
【００１３】
以下、本発明の実施の形態に係る携帯電話機を図面を参照しながら説明する。以下に説明する実施の形態では、第１の通信システムとしてＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、第２の通信システムとしてＰＨＳ（Ｐｅｒｓｏｎａｌ  Ｈａｎｄｙｐｈｏｎｅ  Ｓｙｓｔｅｍ）がそれぞれ用いられるものとする。
【実施例】
【００１４】
＜構成＞
図１は本発明に係る携帯電話機１の構成を示すブロック図である。この携帯電話機１は、二つの独立した移動体通信方式であるＰＨＳとＧＳＭによる発信受信を行うことが可能な従来のデュアルバンド携帯電話機に、後で詳しく述べる従来とは異なるアルゴリズムに従う制御動作を行うようにしたものである。
【００１５】
この携帯電話機１は、共通アンテナ００１、ＧＳＭ無線部００３、ＰＨＳ無線部００２、制御部００５、音声出力部００６、音声入力部００７、入力部００９、表示部００８、記憶部００４から構成されている。
共通アンテナ００１は、ＧＳＭ無線部００３及びＰＨＳ無線部００２からの各電気信号を電磁波に変換して携帯電話機１の外部に放出する機能を有する。また、この共通アンテナ００１は、基地局（図示しない）からの電磁波を受信して電気信号に変換する機能を有する。変換された電気信号は、ＧＳＭ無線部００３またはＰＨＳ無線部００２に伝送される。
【００１６】
ＧＳＭ無線部００３及びＰＨＳ無線部００２は共通アンテナ００１から供給された電気信号を復調して受信データとして制御部００５に送出する機能を有する。ＧＳＭ無線部００３及びＰＨＳ無線部００２はさらに制御部００５からの送信データを変調して共通アンテナ００１に送出する機能を有する。
音声出力部００６は、制御部００５からの音声信号に基づいて受信された音声を発生する。音声入力部００７は、送信する音声を電気信号に変換し制御部００５に供給する。入力部００９には、例えば電源を投入するための電源スイッチ、ダイアル番号を入力するためのテンキー等が設けられている。入力部００９は使用者が上記テンキー等を用いて入力した操作情報を制御部００５に伝送する機能を有する。表示部００８は、例えばＬＣＤ（液晶ディスプレイ）で構成され、制御部００５が、日付、時刻、受信された電界強度、ダイアル番号、その他種々のメッセージを表示する機能を有する。
【００１７】
記憶部００４は、制御部００５で実行されるプログラムやデータを記憶するメモリ群であり、不揮発性メモリの領域と、揮発性メモリの領域で構成される。
記憶部００４に記憶されているデータには後で詳しく説明する電話帳データが含まれる。さらに、公知従来の携帯電話機と同じように、着信履歴及び発信履歴が記憶部００４に記憶されている。これらのデータが記憶されている領域は記憶部００４のうち、携帯電話機１の電源がオフにされても、データが消滅してしまうことのない不揮発性メモリの領域である。
【００１８】
制御部００５は、記憶部００４に記憶されたプログラム及び、入力部００９から取得した操作情報に従って処理を行うことにより、携帯電話機１の各部を制御する機能を有する。この制御部００５は、例えばマイクロプロセッサ（ＣＰＵ）で構成することができる。
制御部００５は、ＧＳＭ無線部００３とＰＨＳ無線部００２を切り替えて、何れかの無線部を通じて信号をやり取りすることによって、それぞれＧＳＭ或いはＰＨＳの通信方式での発信受信を行うことができる。ユーザはどちらの通信方式を用いて発信受信するか（以後"モード"と呼ぶ）を、入力部００９に備えられた設定ボタン等を押下することによって設定することが可能であり、制御部００５は設定されたモードに切り替えてそのモードを保持し、発信受信を行う。また、何れのモードが設定されて保持されているかについての情報は記憶部００４に格納されている。
＜データ＞
以下、記憶部００４に格納される電話帳データについて説明する。
【００１９】
図３は電話帳データ１００の構成及び内容例を示す図である。電話帳データ１００は、グループ１０１、相手先１０２、電話番号１０３、発信モード１０４を含んで構成されるデータである。
発信モード１０４は、どのモードを用いて電話番号１０３を発信するか電話番号１０３と対応付けたデータであり、相手先１０２は電話番号１０３の詳細を示し、グループ１０１は、それらの相手先を例えば人物でグループ化したデータである。これらは、使用者が入力部００９を用いて設定することが可能である。
【００２０】
例えば電話番号１０３を電話帳データ１００に登録を登録する際には、図４に示すように制御部００５は表示部２００の表示部位２０１に、その電話番号１０３を、ＰＨＳまたはＧＳＭどちらの発信モードに登録するかを尋ねる表示を行うための処理を行い、それに応じたユーザが、表示部位２０２または表示部位２０３に対応する入力部００９に備えられた設定ボタンを押下することによってＰＨＳまたはＧＳＭモードが１つの電話番号１０３に対して登録され、記憶部００４に格納される。
【００２１】
さらに、着信履歴、発信履歴は公知従来の携帯電話機と同様に記憶部００４に格納されており、それらの履歴データは、電話番号、着信／発信時刻などを含んで構成される。
＜動作＞
次に、上記のように構成される携帯電話機１の動作を説明する。ただし、発信以外の動作については従来公知の携帯電話機と同様の動作であるので、本明細書では記述しない。
【００２２】
ユーザが発信を行う際には次の４つの方法で発信を行うことが可能である。すなわち、電話帳から人を指定して発信する、電話帳から電話番号を指定して発信する、電話番号を直接入力して発信する、着信履歴あるいは、発信履歴から発信する、の４つの方法である。
図５は、ユーザが入力部００９に備えられた設定ボタン等を押下することにより、電話帳データ１００を表示する旨の命令が制御部００５に伝えられ、それを受けた制御部００５が表示部３００に電話帳データ１００のうちグループ１０１を表示部位３０１に示した例である。
【００２３】
ユーザは表示部位３０１に示されたグループ１０１を、ユーザは入力部００９に備えられた設定ボタン等を押下することにより選択することが可能であって、選択した後、例えば表示部位３０２に対応する入力部００９に備えられた設定ボタンあるいは発信ボタン等を押下等することによって、選択したグループ１０１が示す人を指定して発信することができる。
【００２４】
また、ユーザは表示部位３０１に示されたグループ１０１の何れかを選択して、例えば表示部位３０３に対応する入力部００９に備えられた設定ボタン等を押下等することによって、電話帳データ１００の詳細な表示画面を表示させて編集することが可能である。
図６は電話帳データ１００の詳細な表示画面の例である。表示画面４００は、電話帳データ１００の電話番号１０３及びそれに対応して設定された発信モード１０４を表示する表示部位４０１を備え、ユーザは入力部００９に備えられた設定ボタン等を押下することにより発信モードと対応付けられた電話番号を選択することが可能であって、選択した後、例えば表示部位４０２に対応する入力部００９に備えられた設定ボタンあるいは発信ボタン等を押下等することによって、電話番号を指定して発信することができる。
【００２５】
さらに、ユーザは公知従来の携帯電話機が備える機能と同様に、記憶部００４に格納された着信履歴及び発信履歴を参照して、電話番号を指定して発信する機能を有し、また勿論、直接電話番号を入力して発信することが可能である。
図２は携帯電話機１の発信処理を示すフローチャートである。
同図に示す発信処理は、例えばユーザによって入力部００９から発信指示がなされたときに、制御部００５がその指示に対応して各機能部を制御して発信を行う処理である。
【００２６】
電話帳データ１００のグループ１０１あるいは、電話番号を指定した発信指示を入力部００９から受けた制御部００５は、その発信指示が、電話帳データ１００のグループ１０１で示される人を指定した発信指示の場合（ステップＳ００１でＹＥＳ）、処理をステップＳ００３に移す。電話帳データ１００に登録された人を指定した発信指示ではなく電話番号を指定した発信指示の場合、処理をステップＳ００２に移す。ただし、ここでは着信履歴及び発信履歴からの発信も電話番号を指定した発信指示に含む。
【００２７】
ステップＳ００２では、制御部００５は、記憶部００４から電話帳データ１００を読み込み、受け付けた電話番号と一致する電話番号１０３を電話帳データ１００から検索して発見した場合、処理をステップＳ００３に移す。発見できなかった場合は、設定されて保持されている発信モードを記憶部００４から読み込み、そのモードで、指定された電話番号の発信を行う（ステップＳ００５）。
【００２８】
さて、ステップＳ００３では制御部００５はまず、設定されて保持されている発信モードを記憶部００４から読み込む。次に、その同じモードでの電話番号の登録があるか否かを電話帳データ１００を検索する（ステップＳ００３）。ただしここでその検索範囲は、電話帳データ１００のグループ１０１で示される人を指定した発信指示の場合は、そのグループ１０１内であり、電話番号を指定した発信指示の場合はその電話番号１０３が登録されたグループ１０１内である。
【００２９】
ここで、その同じモードに設定された電話番号の登録が電話帳データ１００にあった場合（ステップＳ００３でＹＥＳ）、その電話番号を選択して（ステップＳ００４）、設定されて保持されている発信モードにて発信を行う（ステップＳ００５）。しかしながら、その同じモードに設定された電話番号の登録が電話帳データ１００になかった場合（ステップＳ００３でＮＯ）、制御部００５は処理をステップＳ００６に移す。
【００３０】
ステップＳ００６で制御部００５は、発信指示が電話番号を指定した指示の場合はその電話番号を選択する。発信指示が、電話帳データ１００のグループ１０１で示される人を指定した発信指示の場合は、例えばそのグループ１０１内を検索して最初に発見した電話番号を選択する。ここで、電話帳データ１００に、電話番号１０３のそれぞれに対して電話帳データ１００に登録した日時のフィールドを新たに加えて、グループ１０１内で最初に登録した電話番号を選択するとしてもよい。
【００３１】
制御部００５は、現在設定されて保持されているモードから、電話帳データ１００にて選択した電話番号１０３に対応付けられている発信モード１０４に、切り替えて処理を続行してよいか否かをユーザに問う画面を表示部００８に表示するための処理を行う。図７にその例を示す。
同図に示すように、表示部５００はその旨を問う内容を表示する表示部位５０１を備え、ユーザは、例えば表示部位５０２及び５０３に対応する入力部００９に備えられた設定ボタン等を押下等することによって、処理を続行するか否かの選択をすることが可能である。
【００３２】
ここで、ユーザが処理を続行する選択をした場合（ステップＳ００７でＹＥＳ）、制御部００５は、現在設定されて保持されているモードから、電話帳データ１００にて選択した電話番号１０３に対応付けられている発信モード１０４に、切り替えて（ステップＳ００８）、選択した電話番号で発信する（ステップＳ００５）。
ステップＳ００７でユーザが処理を続行しない選択をした場合（ステップＳ００７でＮＯ）、制御部００５は処理を終える。
【００３３】
以下、図３に示した電話帳データ１００を記憶部００４に格納していると仮定した携帯電話機１の動作を説明する。ただし、携帯電話機１のモードはＰＨＳに設定されていることとする。
まず、ユーザが入力部００９に備えられた入力ボタン等を押下することにより、電話帳データ１００が表示された場合の画面例が図５である。ここでユーザが入力部００９に備えられた入力ボタン等を押下することによって、図に示すように「三洋二郎」を選択して、発信する旨を入力部００９から入力した場合の処理を以下に述べる。
【００３４】
電話帳データ１００のグループ１０１で示される人を指定した発信指示を受けた制御部００５はステップＳ００１から処理をステップＳ００３に移す。
ステップＳ００３において、制御部００５はまず現在設定されて保持されているモード（この場合ＰＨＳ）を記憶部００４から読み込み、電話帳データ１００の「三洋二郎」のグループ内に、「ＰＨＳ」で登録されている電話番号１０３があるか検索する。図３に示すデータの場合、「○×○−□△○×−××××」が「ＰＨＳ」に登録されているので（ステップＳ００３でＹＥＳ）、制御部００５はその電話番号「○×○−□△○×−××××」を選択して（ステップＳ００４）ＰＨＳモードで発信して（ステップＳ００５）、発信処理を終える。
【００３５】
以上、本発明を実施の形態に基づいて説明してきたが、本発明は、上述の実施の形態に限定されないのは勿論であり、以下のような場合も本発明に含まれる。
（１）上記実施の形態においては、ＧＳＭ及びＰＨＳといった２つの通信方式に適応可能な携帯電話機について説明したが、通信方式は上記に限定されない。例えば、ＧＳＭとＵＭＴＳでもよいし、ＰＤＣとＰＨＳでもよい。また２つではなく３つ以上の通信方式に適応した携帯電話機にも適用可能である。
【００３６】
（２）上記実施の形態においては、ユーザは携帯電話機が利用できる複数の通信方式のうち何れかの通信方式に設定してその通信方式を保持することが可能であるとしたが、複数の通信方式を同時に保持することが可能であるとしてもよい。
（３）上記実施の形態においては、電話帳データ１００で１つの電話番号１０３に対して１つの発信モード１０４を登録するとしたが、複数の発信モード１０４が登録できるとしても良いし、発信モード１０４を登録しなくてもよい。通信方式を登録しない場合は常に、携帯電話機が設定して保持しているモードにて発信が行われる。
【００３７】
（４）上記実施の形態においては、ステップＳ００７にて、ユーザが処理の続行しない選択をした場合（ステップＳ００７でＮＯ）、制御部００５は処理を終える、としたが、制御部００５は現在設定されて保持されているモードにて、選択した電話番号を発信するとしてもよい。
（５）上記実施の形態においては、登録済みの電話番号が入力され発信指示された場合（Ｓ００２でＹＥＳ）も、入力した電話番号と同じグループに登録されている電話番号のうち、携帯電話機が設定して保持しているモードと一致するモードに関連付けされている電話番号を
選択して発信する（Ｓ００３〜Ｓ００５）としたが、電話帳に登録済みの電話番号が指定された発信指示の場合、その電話番号に関連付けて登録されているモードに切り替えて、その電話番号を発信するとしてもよい。
【００３８】
（６）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号を、電気通信回線、無線又は有線通信回線、インターネットを代表とするネットワーク等を経由して伝送するものとしてもよい。
【産業上の利用可能性】
【００３９】
本発明に係る携帯端末は、発信時に通信方式を選択する場合に、常に登録しておいた発信電話番号に応じた通信方式のみが優先して選択されるのではなく、ユーザの意図が反映されていると考えられる発信前に選択している通信方式にも基づいて通信方式を選択して発信するために、複数の通信方式に対応したマルチバンド携帯端末等に有用である。
【図面の簡単な説明】
【００４０】
【図１】本発明に係る携帯電話機１の構成を示すブロック図である。
【図２】携帯電話機１の発信処理を示すフローチャートである。
【図３】電話帳データ１００の構成及び内容例を示す図である。
【図４】携帯電話機１の表示部００８の表示例である。
【図５】携帯電話機１の表示部００８の表示例である。
【図６】携帯電話機１の表示部００８の表示例である。
【図７】携帯電話機１の表示部００８の表示例である。
【符号の説明】
【００４１】
１  携帯電話機
００１  共通アンテナ
００２  ＰＨＳ無線部
００３  ＧＳＭ無線部
００４  記憶部
００５  制御部
００６  音声出力部
００７  音声入力部
００８  表示部
００９  入力部
【図１】
2005176101.tif 000003
【図２】
2005176101.tif 000004
【図３】
2005176101.tif 000005
【図４】
2005176101.tif 000006
【図５】
2005176101.tif 000007
【図６】
2005176101.tif 000008
【図７】
2005176101.tif 000009